(57)【要約】【課題】  冷凍サイクルの起動直後において、可変容量圧縮機の実際の駆動トルクと、推定された駆動トルクの値とが大きくかけ離れることを防ぐ。【解決手段】  冷媒の圧力以外の物理量に基づいて演算され、可変容量圧縮機が冷媒を圧縮し始めてからの経過時間に伴って徐々に増加する第一推定駆動トルクと、冷媒の圧力を用いて演算された第二推定駆動トルクとを比較して実際の駆動トルクに近い方の値を前記可変容量圧縮機の推定駆動トルクとして採用する。  【選択図】      図３
2006105030.tif 000002
【特許請求の範囲】
【請求項１】
冷媒を圧縮する圧縮機構部と、前記圧縮機構部によって圧縮される冷媒の容量を可変する容量可変機構とを備える可変容量圧縮機と、前記可変容量圧縮機によって圧縮された冷媒を凝縮させる凝縮器と、前記凝縮器によって凝縮された冷媒を減圧する減圧手段と、前記減圧手段によって減圧された冷媒を蒸発させる蒸発器と、前記可変容量圧縮機、前記凝縮器、前記減圧手段、前記蒸発器とを接続する冷媒配管と、前記可変容量圧縮機から前記減圧手段に至るまでの冷媒の圧力を検出する圧力検出手段とを備える冷凍サイクルにおいて、
前記圧力検出手段によって検出された冷媒の圧力以外の物理量に基づいて演算され、前記可変容量圧縮機が冷媒を圧縮し始めてからの経過時間に伴って徐々に値が増加する前記可変容量圧縮機の第一推定駆動トルクを演算する第一駆動トルク推定手段と、
前記圧力検出手段によって検出された冷媒の圧力を用いて前記可変容量圧縮機の第二推定駆動トルクを演算する第二駆動トルク推定手段とを備え、
前記第一推定駆動トルクと、前記第二推定駆動トルクとを比較して低い方の値を前記可変容量圧縮機の推定駆動トルクとして採用することを特徴とする可変容量圧縮機の駆動トルクの推定方法。
【請求項２】
冷媒を圧縮する圧縮機構部と、前記圧縮機構部によって圧縮される冷媒の容量を可変する容量可変機構とを備える可変容量圧縮機と、前記可変容量圧縮機によって圧縮された冷媒を凝縮させる凝縮器と、前記凝縮器によって凝縮された冷媒を減圧する減圧手段と、前記減圧手段によって減圧された冷媒を蒸発させる蒸発器と、前記可変容量圧縮機、前記凝縮器、前記減圧手段、前記蒸発器とを接続する冷媒配管と、前記可変容量圧縮機から前記減圧手段に至るまでの冷媒の圧力を検出する圧力検出手段とを備える冷凍サイクルにおいて、
前記圧力検出手段によって検出された冷媒の圧力以外の物理量に基づいて前記可変容量圧縮機の第一推定駆動トルクを演算する第一駆動トルク推定手段と、
前記圧力検出手段によって検出された冷媒の圧力を用いて前記可変容量圧縮機の第二推定駆動トルクを演算する第二駆動トルク推定手段と、
前記可変容量圧縮機が冷媒を圧縮し始めてからの経過時間を計測する経過時間計測手段と、
前記経過時間計測手段によって計測された経過時間が、所定時間未満である場合は、
前記第一推定駆動トルクを前記可変容量圧縮機の推定駆動トルクとし、
前記経過時間計測手段によって計測された経過時間が、前記所定時間以上である場合は、前記第二推定駆動トルクを前記可変容量圧縮機の推定駆動トルクとして採用することを特徴とする可変容量圧縮機の駆動トルクの推定方法。
【請求項３】
前記容量可変機構は、外部から入力される制御電流によって前記圧縮機構部によって圧縮される冷媒の容量を可変させるものであり、
前記第一駆動トルク推定手段は、前記制御電流に基づいて前記第一推定駆動トルクを演算することを特徴とする請求項２に記載の可変容量圧縮機の駆動トルク推定方法。
【請求項４】
前記第一駆動トルク推定手段は、前記可変容量圧縮機が冷媒を圧縮し始めてからの経過時間と、前記経過時間に対応してあらかじめ記憶された値とによって、前記第一推定駆動トルクを演算することを特徴とする請求項１または２に記載の可変容量圧縮機の駆動トルク推定方法。
【請求項５】
前記可変容量圧縮機は、駆動源によって駆動されており、請求項１ないし請求項４に記載の可変容量圧縮機の駆動トルクの推定方法によって演算された推定駆動トルクを、前記駆動源の回転数制御に用いることを特徴とする駆動源回転数制御システム。
【請求項６】
冷媒を圧縮する圧縮機構部と、前記圧縮機構部によって圧縮される冷媒の容量を可変する容量可変機構とを備える可変容量圧縮機と、前記可変容量圧縮機によって圧縮された冷媒を凝縮させる凝縮器と、前記凝縮器によって凝縮された冷媒を減圧する減圧手段と、前記減圧手段によって減圧された冷媒を蒸発させる蒸発器と、前記可変容量圧縮機、前記凝縮器、前記減圧手段、前記蒸発器とを接続する冷媒配管と、前記可変容量圧縮機から前記減圧手段に至るまでの冷媒の圧力を検出する圧力検出手段とを備える冷凍サイクルと、
前記可変容量圧縮機を駆動する駆動源と、
前記可変容量圧縮機が冷媒を圧縮し始めてからの経過時間を計測する経過時間計測手段と、
前記圧力検出手段によって検出された冷媒の圧力を用いて前記可変容量圧縮機の推定駆動トルクを演算する駆動トルク推定手段と、
前記推定駆動トルクを用いて前記駆動源の目標回転数を演算する回転数演算手段とを備え、
前記回転数演算手段は、前記経過時間計測手段によって計測された経過時間が所定時間未満である場合は、前記駆動トルク推定手段によって演算された推定駆動トルクに、所定の演算を行うことで前記推定駆動トルクを減じた値を演算に用いる推定駆動トルクとし、前記経過時間計測手段によって計測された経過時間が前記所定時間以上である場合は、前記駆動トルク推定手段によって演算された推定駆動トルクを、そのまま演算に用いることを特徴とする駆動源回転数制御システム。
【請求項７】
前記回転数演算手段は、前記駆動源の目標アイドル回転数を演算することを特徴とする請求項５または請求項６に記載の駆動源の回転数制御システム。
【請求項８】
冷媒を圧縮する圧縮機構部と、前記圧縮機構部によって圧縮される冷媒の容量を可変する容量可変機構とを備える可変容量圧縮機と、前記可変容量圧縮機によって圧縮された冷媒を凝縮させる凝縮器と、前記凝縮器によって凝縮された冷媒を減圧する減圧手段と、前記減圧手段によって減圧された冷媒を蒸発させる蒸発器と、前記可変容量圧縮機、前記凝縮器、前記減圧手段、前記蒸発器とを接続する冷媒配管と、前記可変容量圧縮機から前記減圧手段に至るまでの冷媒の圧力を検出する圧力検出手段とを備える冷凍サイクルにおいて、
前記圧力検出手段によって検出された冷媒の圧力以外の物理量に基づいて演算され、前記可変容量圧縮機が冷媒を圧縮し始めてからの経過時間に伴って徐々に値が増加する前記可変容量圧縮機の第一推定駆動トルクを演算する第一駆動トルク推定手段と、
前記圧力検出手段によって検出された冷媒の圧力を用いて前記可変容量圧縮機の第二推定駆動トルクを演算する第二駆動トルク推定手段とを備え、
前記第一推定駆動トルクと、前記第二推定駆動トルクとを比較して実際の駆動トルクに近い方の値を前記可変容量圧縮機の推定駆動トルクとして採用することを特徴とする可変容量圧縮機の駆動トルクの推定方法。
【発明の詳細な説明】
【技術分野】
【０００１】
本発明は冷凍サイクルの駆動に用いる可変容量圧縮機の駆動トルクの推定方法および、可変容量圧縮機を駆動する駆動源の回転数制御システムに関するもので、特に車両用空調装置に適したものである。
【背景技術】
【０００２】
従来、冷凍サイクルの駆動に用いられる可変容量圧縮機の駆動トルクは、冷凍サイクルの高圧側圧力を用いて推定されている（例えば特許文献１）。
【０００３】
しかし、冷凍サイクルの起動直後の過渡状態において、冷凍サイクルの高圧側圧力等を用いて駆動トルクを推定すると、推定駆動トルクが実際の駆動トルクから大きくかけ離れてしまうという問題があった。
【０００４】
また、駆動源であるエンジンによって可変容量圧縮機を駆動する場合、エンジンアイドリング時に、実際の駆動トルクから大きくかけ離れた推定駆動トルクに基づいてエンジンの目標回転数を決定すると、エンジンによって駆動される他の機器の制御と調和が取れず、エンジンの目標回転数が安定しないという問題が生じていた。
【特許文献１】特開２００１−１８０２６１号公報
【発明の開示】
【発明が解決しようとする課題】
【０００５】
本発明は上記のような問題点に鑑みてなされたもので、冷凍サイクルの起動直後において、可変容量圧縮機の実際の駆動トルクと、推定駆動トルクの値とが大きくかけ離れることを防ぐことを目的とする。
【課題を解決するための手段】
【０００６】
上記目的を達成するにあたり、請求項１に記載の発明は、冷媒を圧縮する圧縮機構部と、圧縮機構部によって圧縮される冷媒の容量を可変する容量可変機構とを備える可変容量圧縮機と、可変容量圧縮機によって圧縮された冷媒を凝縮させる凝縮器と、凝縮器によって凝縮された冷媒を減圧する減圧手段と、減圧手段によって減圧された冷媒を蒸発させる蒸発器と、可変容量圧縮機、凝縮器、減圧手段、蒸発器とを接続する冷媒配管と、可変容量圧縮機から減圧手段に至るまでの冷媒の圧力を検出する圧力検出手段とを備える冷凍サイクルにおいて、圧力検出手段によって検出された冷媒の圧力以外の物理量に基づいて演算され、可変容量圧縮機が冷媒を圧縮し始めてからの経過時間に伴って徐々に値が増加する可変容量圧縮機の第一推定駆動トルクを演算する第一駆動トルク推定手段と、圧力検出手段によって検出された冷媒の圧力を用いて可変容量圧縮機の第二推定駆動トルクを演算する第二駆動トルク推定手段とを備え、第一推定駆動トルクと、第二推定駆動トルクとを比較して低い方の値を可変容量圧縮機の推定駆動トルクとして採用することを特徴とする。
【０００７】
これにより、冷凍サイクル起動直後に、第二駆動トルク推定手段が冷媒の圧力を用いて実際の駆動トルクよりも高い第二推定駆動トルクを算出したとしたとしても、冷媒圧力以外の物理量に基づいて推定駆動トルクを演算する第一駆動トルク推定手段によって演算された第一推定駆動トルクが、前記可変容量圧縮機が冷媒を圧縮し始めてからの経過時間に伴って徐々に増加するため、可変容量圧縮機が冷媒を吐出し始める冷凍サイクル起動直後の過渡期においては上記第二推定駆動トルクよりも小さくなる。よって、推定駆動トルクとして第一推定駆動トルクが採用されるので、冷凍サイクル起動直後において、可変容量圧縮機の実際の駆動トルクと、推定駆動トルクとが大きくかけ離れることを防ぐことができる。
【０００８】
また、請求項２に記載の発明は、冷媒を圧縮する圧縮機構部と、圧縮機構部によって圧縮される冷媒の容量を可変する容量可変機構とを備える可変容量圧縮機と、可変容量圧縮機によって圧縮された冷媒を凝縮させる凝縮器と、凝縮器によって凝縮された冷媒を減圧する減圧手段と、減圧手段によって減圧された冷媒を蒸発させる蒸発器と、可変容量圧縮機、凝縮器、減圧手段、蒸発器とを接続する冷媒配管と、可変容量圧縮機から減圧手段に至るまでの冷媒の圧力を検出する圧力検出手段とを備える冷凍サイクルにおいて、圧力検出手段によって検出された冷媒の圧力以外の物理量に基づいて可変容量圧縮機の第一推定駆動トルクを演算する第一駆動トルク推定手段と、圧力検出手段によって検出された冷媒の圧力を用いて可変容量圧縮機の第二推定駆動トルクを演算する第二駆動トルク推定手段と、可変容量圧縮機が冷媒を圧縮し始めてからの経過時間を計測する経過時間計測手段と、経過時間計測手段によって計測された経過時間が、所定時間未満である場合は、第一推定駆動トルクを可変容量圧縮機の推定駆動トルクとし、経過時間計測手段によって計測された経過時間が、所定時間以上である場合は、第二推定駆動トルクを可変容量圧縮機の推定駆動トルクとして採用することを特徴とする。
【０００９】
これにより、冷凍サイクルが起動してからの経過時間が所定時間未満である場合は、推定駆動トルクとして第一推定駆動トルクが採用されるので、冷凍サイクル起動直後において、可変容量圧縮機の実際の駆動トルクと、推定駆動トルクとが大きくかけ離れることを防ぐことができる。
【００１０】
また、請求項３に記載の発明は、請求項２に記載の発明において、容量可変機構は、外部から入力される制御電流によって圧縮機構部によって圧縮される冷媒の容量を可変させるものであり、第一駆動トルク推定手段は、制御電流に基づいて第一推定駆動トルクを演算することを特徴とする。
【００１１】
これにより、第一駆動トルク推定手段は、可変容量圧縮機によって圧縮される冷媒の量に基づいて第一推定駆動トルクを演算するので、第一推定駆動トルクをより正確に演算することができる。
【００１２】
また、請求項４に記載の発明は、請求項１または請求項２に記載の発明において、第一駆動トルク推定手段は、可変容量圧縮機が冷媒を圧縮し始めてからの経過時間と、経過時間に対応してあらかじめ記憶された値とによって、第一推定駆動トルクを演算することを特徴とする。これにより、第一推定トルクを迅速に演算することが可能となる。
【００１３】
また、請求項５に記載の発明は、可変容量圧縮機は、駆動源によって駆動されており、請求項１ないし請求項４に記載の可変容量圧縮機の駆動トルクの推定方法によって演算された推定駆動トルクを、駆動源の回転数制御に用いることを特徴とする。
【００１４】
これにより、実際の駆動トルクと大きくかけ離れることなく演算された推定駆動トルクを、駆動源の回転数制御に用いることで、駆動源の回転数を最適化することができる。
【００１５】
また、請求項６に記載の発明は、冷媒を圧縮する圧縮機構部と、圧縮機構部によって圧縮される冷媒の容量を可変する容量可変機構とを備える可変容量圧縮機と、可変容量圧縮機によって圧縮された冷媒を凝縮させる凝縮器と、凝縮器によって凝縮された冷媒を減圧する減圧手段と、減圧手段によって減圧された冷媒を蒸発させる蒸発器と、可変容量圧縮機、凝縮器、減圧手段、蒸発器とを接続する冷媒配管と、可変容量圧縮機から減圧手段に至るまでの冷媒の圧力を検出する圧力検出手段とを備える冷凍サイクルと、可変容量圧縮機を駆動する駆動源と、可変容量圧縮機が冷媒を圧縮し始めてからの経過時間を計測する経過時間計測手段と、圧力検出手段によって検出された冷媒の圧力を用いて可変容量圧縮機の推定駆動トルクを演算する駆動トルク推定手段と、推定駆動トルクを用いて駆動源の目標回転数を演算する回転数演算手段とを備え、回転数演算手段は、経過時間計測手段によって計測された経過時間が所定時間未満である場合は、駆動トルク推定手段によって演算された推定駆動トルクに、所定の演算を行うことで推定駆動トルクを減じた値を演算に用いる推定駆動トルクとし、経過時間計測手段によって計測された経過時間が所定時間以上である場合は、駆動トルク推定手段によって演算された推定駆動トルクを、そのまま演算に用いることを特徴とする。
【００１６】
これにより、単一の駆動トルク推定手段によって駆動源の回転数制御を最適化することが可能となる。
【００１７】
また、請求項７に記載の発明は、請求項５または６に記載の発明において、回転数演算手段は、駆動源の目標アイドル回転数を演算することを特徴とする。
【００１８】
これにより、目標アイドリング時回転数を最適化することで、アイドリング騒音の低減および駆動源の燃費を向上させることができる。
【００１９】
また、請求項８に記載の発明は、冷媒を圧縮する圧縮機構部と、圧縮機構部によって圧縮される冷媒の容量を可変する容量可変機構とを備える可変容量圧縮機と、可変容量圧縮機によって圧縮された冷媒を凝縮させる凝縮器と、凝縮器によって凝縮された冷媒を減圧する減圧手段と、減圧手段によって減圧された冷媒を蒸発させる蒸発器と、可変容量圧縮機、凝縮器、減圧手段、蒸発器とを接続する冷媒配管と、可変容量圧縮機から減圧手段に至るまでの冷媒の圧力を検出する圧力検出手段とを備える冷凍サイクルにおいて、圧力検出手段によって検出された冷媒の圧力以外の物理量に基づいて演算され、可変容量圧縮機が冷媒を圧縮し始めてからの経過時間に伴って徐々に値が増加する可変容量圧縮機の第一推定駆動トルクを演算する第一駆動トルク推定手段と、圧力検出手段によって検出された冷媒の圧力を用いて可変容量圧縮機の第二推定駆動トルクを演算する第二駆動トルク推定手段とを備え、第一推定駆動トルクと、第二推定駆動トルクとを比較して実際の駆動トルクに近い方の値を可変容量圧縮機の推定駆動トルクとして採用することを特徴とする。これにより、上記請求項１と同様の効果を得ることができる。
【発明を実施するための最良の形態】
【００２０】
（実施形態）
以下、本発明の実施形態を説明する。図１は、図示しないエンジンによってベルト駆動される可変容量圧縮機１を有する冷凍サイクルＲｃと、冷凍サイクルＲｃおよびエンジンを制御するＥＣＵ２と、該ＥＣＵ２の入出力に関係する後述するセンサ群（８〜１２）の接続関係を示した図である。
【００２１】
可変容量圧縮機１は、冷媒を圧縮する圧縮機構部と、圧縮機構部によって圧縮される冷媒の容量を可変する容量可変機構とを備える周知の可変容量圧縮機であり、容量可変機構は、ＥＣＵ２から入力される容量制御信号によって制御されている。
【００２２】
冷凍サイクルＲｃは、上述の可変容量圧縮機１と、可変容量圧縮機１によって圧縮された冷媒を凝縮させる凝縮器３と、凝縮器３によって凝縮された冷媒を気液分離する気液分離器４と、気液分離器４によって分離された液冷媒を減圧する減圧手段である膨張弁５と、膨張弁５によって減圧された冷媒を蒸発させる蒸発器６と、これら可変容量圧縮機１、凝縮器３、気液分離器４、膨張弁５、蒸発器６とを接続する冷媒配管７とから構成されており、可変容量圧縮機１から膨張弁５に至るまでの冷媒の圧力を検出する高圧圧力センサ８とを備える。尚、膨張弁５は、蒸発器６の下流側に配置された感温筒５ａ内の気体の圧力に応じた開度にて気液分離器４によって分離された液冷媒を膨張させて減圧する温度式膨張弁である。
【００２３】
ＥＣＵ２には、上記高圧圧力センサ８で検出された高圧圧力信号と、図示しない車両の車室内空間の温度を検出する内気温度センサ９からの内気温度信号と、車両外部の温度を検出する外気温度センサ１０からの外気温度信号と、車室内に差し込む日射量を検出する日射センサ１１からの日射信号と、蒸発器６の表面に取り付けられ、蒸発器６の温度を検出する蒸発器温度センサ１２からの蒸発器温度信号とが、Ａ−Ｄ変換器１３を介して入力される。また、ＥＣＵ２には、エンジンの回転数を検出するエンジン回転数検出手段１４からのエンジン回転数信号と、車室内に配置されたエアコン操作パネル１５を乗員が操作することで発せられるエアコンＯＮ／ＯＦＦ信号と、車載バッテリ１６への通電を制御するＩＧスイッチ１７からのＩＧ信号とが入力される。
【００２４】
そして、ＥＣＵ２は、上記の信号群に基づいて可変容量圧縮機１の容量可変機構と、コンデンサファン１８と、エアコンブロワファン１９と、アイドル調整弁２０の開度を制御する。
【００２５】
ここで、アイドル調整弁２０は、エンジン吸気管２１内に配置されたスロットル弁２２をバイパスするバイパス管路２３に設けられた弁である。エンジンアイドリング時、ＥＣＵ２はこのアイドル調整弁２０の開度によって、エンジンに供給する吸入空気の量を調整して、アイドリング回転数を調整している。
【００２６】
エンジンアイドリング時の最適なアイドル回転数は、エンジンによってベルト駆動される補機の駆動トルクによって異なるため、ＥＣＵ２は可変容量圧縮機１の駆動トルクを推定して目標となるアイドル回転数を決定し、このアイドル回転数に基づいてアイドル調整弁２０の開度を決定する。
【００２７】
以下、図２および図３を用いて可変容量圧縮機１の駆動トルク推定方法を説明する。図２は、本実施形態における可変容量圧縮機１の駆動トルクの時間遷移を示したグラフであり、操作パネル１５からＥＣＵ２にエアコンＯＮ信号が入力され、可変容量圧縮機１が駆動され始めた時間をｔ０としている。図２中の実線は実際の駆動トルクを示し、破線は本発明の第一駆動トルク推定手段によって冷凍サイクルの高圧側圧力以外の物理量に基づいて演算した第一推定駆動トルク（ＴｒｑＡ）を示し、一点鎖線は本発明の第二駆動トルク推定手段によって冷凍サイクルの高圧側圧力を用いて演算した第二推定駆動トルク（ＴｒｑＢ）を示している。尚、本実施形態における第一推定トルク（ＴｒｑＡ）は、可変容量圧縮機１の駆動トルクの時間遷移を近似した直線で表されており、この直線はエアコンＯＮ／ＯＦＦ信号が入力されてからの経過時間と共に単調増加している。
【００２８】
図３は、本実施形態のＥＣＵ２において、上記第一推定駆動トルク（ＴｒｑＡ）と第二推定駆動トルク（ＴｒｑＢ）のいずれの推定駆動トルクをエンジン回転数の制御に用いるかを決定するためのフローチャートである。
【００２９】
まず、ステップＳ１において、上記高圧圧力信号、エンジン回転数信号を読み込み、ステップＳ２へと進む。
【００３０】
ステップＳ２では、高圧圧力信号を用いずに、予めＥＣＵ２に記憶されたマップに基づいて第一推定駆動トルク（ＴｒｑＡ）を演算し、ステップＳ３へと進む。尚、上記マップは、エアコンＯＮ／ＯＦＦ信号が入力されてからの経過時間と、上記第一推定駆動トルク（ＴｒｑＡ）との関係を記憶したものである。
【００３１】
ステップＳ３では、高圧圧力信号と、エンジン回転数信号と、ＥＣＵ２によって演算された上記容量可変機構を制御する制御電流値とに基づいて、第二推定駆動トルク（ＴｒｑＢ）を演算し、ステップＳ４へと進む。
【００３２】
ステップＳ４では、ステップＳ２で演算した第一推定駆動トルク（ＴｒｑＡ）とステップＳ３で演算した第二推定駆動トルク（ＴｒｑＢ）とを比較して、第一推定駆動トルク（ＴｒｑＡ）が第二推定駆動トルク（ＴｒｑＢ）よりも小さい場合はステップＳ５へと進み、第一推定駆動トルク（ＴｒｑＡ）が第二推定駆動トルク（ＴｒｑＢ）よりも大きい場合はステップＳ６へと進む。
【００３３】
ステップＳ５では、第一推定駆動トルク（ＴｒｑＡ）に基づいてエンジンアイドリング時の目標となるアイドリング回転数を決定し、ステップＳ７へと進む。
【００３４】
ステップＳ６では、第二推定駆動トルク（ＴｒｑＢ）に基づいてエンジンアイドリング時の目標となるアイドリング回転数を決定し、ステップＳ７へと進む。
【００３５】
ステップＳ７では、ステップＳ１へと戻る。
【００３６】
次に、本実施形態の効果について説明する。本実施形態では、エアコンＯＮ／０ＦＦ信号が入力されてからの経過時間と共に増加する第一推定駆動トルク（ＴｒｑＡ）と、高圧圧力信号と、エンジン回転数信号と、容量可変機構の制御電流値とに基づいて演算された第二推定駆動トルク（ＴｒｑＢ）とを比較し、その小さい方の推定駆動トルクに基づいて目標となるアイドル回転数を決定するので、エアコンＯＮ／ＯＦＦ信号が入力された直後であっても、高圧圧力信号に基づいて演算された実際よりも高い第二推定駆動トルク（ＴｒｑＢ）を用いずに、経過時間と共に増加する第一推定駆動トルク（ＴｒｑＡ）を用いる。これにより、図２に示す実際の可変容量圧縮機１の駆動トルクに近い推定駆動トルクを用いて目標となるアイドル回転数を決定することができる。
【００３７】
これにより、エンジンの目標アイドル回転数を最適化することができ、アイドリング騒音の低減およびエンジンの燃費を向上させることができる。
【００３８】
また、本実施形態では、あらかじめＥＣＵ２に記憶されたマップに基づいて第一推定駆動トルク（ＴｒｑＡ）を演算したが、図４に示すように、容量可変機構によって可変容量圧縮機１が圧縮する冷媒の量が変化したとしても、エアコンＯＮ／ＯＦＦ信号が入力された直後においては、圧縮する冷媒の量（以下、吐出容量）の大小に応じて実際の駆動トルクが大きく変動することはなく、上記マップは圧縮される冷媒の量に関わらず単一のものを用いることが可能である。尚、図４からも明らかなように、第一推定駆動トルク（ＴｒｑＡ）を用いて目標アイドル回転数を決定している期間（Ｔ０〜Ｔ１、Ｔ０〜Ｔ２、Ｔ０〜Ｔ３）は、吐出容量の変化に応じて増加することになる。
【００３９】
（他の実施形態）
上記実施形態では、第一推定駆動トルク（ＴｒｑＡ）を予めＥＣＵ２に記憶されたエアコンＯＮ／ＯＦＦ信号が入力されてからの経過時間とともに直線的に増加する推定トルクのマップに基づいて演算したが、本発明はこれに限定されるものではなく、第一推定駆動トルク（ＴｒｑＡ）は高圧圧力信号を用いずに演算されるものであれば、どのような方法によって演算するようにしてもよく、容量可変機構の制御電流値に基づいて第一推定駆動トルク（ＴｒｑＡ）を演算するようにしてもよい。これにより、第一推定駆動トルク（ＴｒｑＡ）をより正確に演算することができる。
【００４０】
また、上記実施形態では第一推定駆動トルク（ＴｒｑＡ）と第二推定駆動トルク（ＴｒｑＢ）との大小関係に基づいて第一推定駆動トルク（ＴｒｑＡ）と第二推定駆動トルク（ＴｒｑＢ）のどちらを用いるか決定したが、本発明はこれに限定されるものではなく、エアコンＯＮ／ＯＦＦ信号が入力されてからの経過時間を計測する経過時間計測手段を備えて、計測された経過時間に基づいて第一推定駆動トルク（ＴｒｑＡ）と第二推定駆動トルク（ＴｒｑＢ）のどちらを用いるか決定するようにしてもよく、エアコンＯＮ／ＯＦＦ信号が入力されてから所定時間が経過するまでは第一推定駆動トルク（ＴｒｑＡ）を用い、所定時間が経過すると第二推定駆動トルク（ＴｒｑＢ）を用いるようにしてもよい。
【００４１】
また、上記実施形態では、駆動トルク推定手段を複数持つことで、実際の駆動トルクと、推定駆動トルクとが大きくかけ離れることを防止して、最適な目標アイドル回転数を決定するようにしたが、本発明はこれに限定されるものではなく、高圧圧力信号に基づいて推定駆動トルクを演算する単一の駆動トルク推定手段を用い、上記経過時間計測手段を備え、所定時間が経過するまでは、該駆動トルク推定手段によって演算された推定駆動トルクに、所定の演算を行うことで、推定駆動トルクを減じた値を目標となるアイドル回転数の決定に用いるようにしてもよい。
【００４２】
また、高圧圧力センサ８は可変容量圧縮機１から膨張弁５に至るまでの冷媒の圧力を検出することができれば、どのような場所に取り付けられたものでもよく、可変容量圧縮機１本体に取り付けるようにしてもよいし、冷媒配管７に取り付けるようにしてもよい。
【００４３】
また、上記実施形態では、第一推定駆動トルクを演算するために、単一のマップを用いるようにしたが、本発明はこれに限定されるものではなく、該マップを複数用いるようにしてもよい。
【００４４】
また、上記実施形態では、第一推定駆動トルクと、第二推定駆動トルクとを比較して低いほうの値を可変容量圧縮機の推定駆動トルクとして採用したが、本発明はこれに限定されるものではなく、第一推定駆動トルクと、第二推定駆動トルクとを比較して実際の駆動トルクに近い方の値を可変容量圧縮機の推定駆動トルクとして採用するようにしてもよい。
【図面の簡単な説明】
【００４５】
【図１】本発明の実施形態の構成を示した図である。
【図２】本発明の実施形態における可変容量圧縮機１の駆動トルクの時間遷移を示したグラフである。
【図３】本発明の実施形態における推定トルクの決定方法を示すフローチャートである。
【図４】本発明の実施形態における可変容量圧縮機１が吐出容量を変化させた時の駆動トルクの時間遷移を示したグラフである。
【符号の説明】
【００４６】
１    可変容量圧縮機
２    ＥＣＵ
３    凝縮器
４    気液分離器
５    膨張弁
６    蒸発器
７    冷媒配管
８    高圧圧力センサ
９    内気温度センサ
１０  外気温度センサ
１１  日射センサ
１２  蒸発器温度センサ
１３  Ａ−Ｄ変換器
１４  エンジン回転数検出手段
１５  操作パネル
１６  車載バッテリ
１７  ＩＧスイッチ
１８  コンデンサファン
１９  エアコンブロワファン
２０  アイドル調整弁
２１  エンジン吸気管
【図１】
2006105030.tif 000003
【図２】
2006105030.tif 000004
【図３】
2006105030.tif 000005
【図４】
2006105030.tif 000006